(57)【要約】【課題】本発明は、無線接続システムで移動端末に対する保安をサポートする方法に関するものである。【解決手段】本発明の一実施例として、移動端末の位置秘密性をサポートするための方法は、遊休モードへの進入を要請する登録解除要請メッセージをサービング基地局に伝送する段階と、サービング基地局から移動端末に割り当てられた臨時識別子を含む登録解除命令メッセージを受信する段階とを含むことができる。このとき、臨時識別子は、サービング基地局の属したページンググループで移動端末を固有に識別するための識別子であることが望ましい。【選択図】図１
2011527530.tif 000002
【特許請求の範囲】
【請求項１】
移動端末の位置秘密性をサポートするための方法において、
遊休モードへの進入を要請する登録解除要請メッセージをサービング基地局に伝送する段階と、
前記サービング基地局から前記移動端末に割り当てられた臨時識別子を含む登録解除命令メッセージを受信する段階と、を含み、
前記臨時識別子は、前記サービング基地局の属したページンググループで前記移動端末を固有に識別するための識別子であることを特徴とする位置秘密性サポート方法。
【請求項２】
前記移動端末が前記サービング基地局と位置更新手順を行えるように、前記臨時識別子を含むレンジング要請メッセージを前記サービング基地局に伝送する段階と、
前記サービング基地局から前記臨時識別子を含むレンジング応答メッセージを受信する段階と、をさらに含む、請求項１に記載の位置秘密性サポート方法。
【請求項３】
前記臨時識別子は、前記移動端末の媒体接続制御（ＭＡＣ）住所にマッピングされることを特徴とする、請求項２に記載の位置秘密性サポート方法。
【請求項４】
前記位置更新手順は、
ページンググループ位置更新、タイマー基盤の位置更新及びパワーダウン位置更新のうち一つであることを特徴とする、請求項２に記載の位置秘密性サポート方法。
【請求項５】
前記移動端末が前記サービング基地局とネットワーク再進入手順を行えるように、前記臨時識別子を含むレンジング要請メッセージを伝送する段階と、
前記サービング基地局から新しい臨時識別子を含むレンジング応答メッセージを受信する段階と、をさらに含む、請求項１に記載の位置秘密性サポート方法。
【請求項６】
前記サービング基地局から前記臨時識別子を含むページングメッセージを受信する段階をさらに含む、請求項１に記載の位置秘密性サポート方法。
【請求項７】
遊休モード移動端末の位置秘密性をサポートするための方法において、
前記移動端末が第１の基地局のセル領域で位置更新手順を行えるように、第１の臨時識別子を含むレンジング要請メッセージを前記第１の基地局に伝送する段階と、
前記第１の基地局から第２の臨時識別子を含むレンジング応答メッセージを受信する段階と、を含み、
前記第２の臨時識別子は、前記第２の基地局の属したページンググループで前記移動端末を固有に識別するための識別子であることを特徴とする位置秘密性サポート方法。
【請求項８】
前記第１の臨時識別子は、前記移動端末が遊休モードに進入するとき、サービング基地局である第２の基地局から割り当てられることを特徴とする、請求項７に記載の位置秘密性サポート方法。
【請求項９】
前記第１の基地局及び前記第２の基地局が同一のページンググループに属していると、前記第２の臨時識別子は前記第１の臨時識別子と同一であり、
前記第１の基地局及び前記第２の基地局が互いに異なるページンググループに属していると、前記第２の臨時識別子は前記第１の臨時識別子と互いに異なることを特徴とする、請求項８に記載の位置秘密性サポート方法。
【請求項１０】
前記レンジング応答メッセージは、
前記第２の基地局の属したページンググループのページンググループ識別子をさらに含むことを特徴とする、請求項８に記載の位置秘密性サポート方法。
【請求項１１】
移動端末の位置秘密性をサポートするための方法において、
前記移動端末から遊休モードへの進入を要請する登録解除要請メッセージを受信する段階と、
前記移動端末に割り当てられた臨時識別子を含む登録解除命令メッセージを前記移動端末に伝送する段階と、を含み、
前記臨時識別子は、基地局の属したページンググループで前記移動端末を固有に識別するための識別子であることを特徴とする位置秘密性サポート方法。
【請求項１２】
前記移動端末と位置更新手順を行えるように、前記移動端末から前記臨時識別子を含むレンジング要請メッセージを受信する段階と、
前記移動端末に前記臨時識別子を含むレンジング応答メッセージを伝送する段階と、をさらに含む、請求項１１に記載の位置秘密性サポート方法。
【請求項１３】
前記臨時識別子は、前記移動端末の媒体接続制御（ＭＡＣ）住所にマッピングされることを特徴とする、請求項１２に記載の位置秘密性サポート方法。
【請求項１４】
位置更新手順は、
ページンググループ位置更新、タイマー基盤の位置更新及びパワーダウン位置更新のうち一つの始発条件が満足される場合に行われることを特徴とする、請求項１２に記載の位置秘密性サポート方法。
【請求項１５】
前記移動端末とネットワーク再進入手順を行えるように、前記移動端末から前記臨時識別子を含むレンジング要請メッセージを受信する段階と、
前記移動端末に前記臨時識別子を含むレンジング応答メッセージを伝送する段階と、をさらに含む、請求項１１に記載の位置秘密性サポート方法。
【発明の詳細な説明】
【技術分野】
【０００１】
本発明の各実施例は、無線接続システムで移動端末に対する保安をサポートする方法に関するものである。
【背景技術】
【０００２】
以下では、本発明の各実施例の技術と関連したページンググループ及び移動端末の遊休モードについて簡略に説明する。
【０００３】
図１は、多数の基地局からなるページンググループの一例を示す図である。
【０００４】
図１に示すように、遊休モード（ｉｄｌｅ  ｍｏｄｅ）をサポートする多数の基地局（ＢＳ；Ｂａｓｅ  Ｓｔａｔｉｏｎ）は、ページンググループに属してページング領域を構成することができる。
【０００５】
このとき、ページンググループは論理的なグループを示す。ページンググループは、移動端末（ＭＳ：Ｍｏｂｉｌｅ  Ｓｔａｔｉｏｎ）をターゲットにするトラフィックがある場合、ダウンリンクでページされる隣接範囲領域を提供するためのものである。ページンググループは、特定の移動端末が同一のページンググループ内でほとんどの時間の間存在できる程度に充分に大きく、かつ、ページング負荷の適正な水準を維持するために充分に小さくなければならないという条件を充足すべきである。
【０００６】
図１は、６角形格子に位置した多重基地局上で定義された４個のページンググループを示す。一つの基地局は、一つ又はそれ以上のページンググループに含まれる。ページンググループは、管理システムで定義する。ページンググループでは、ページンググループ―実行（ａｃｔｉｏｎ）バックボーン網メッセージを使用することができる。また、バックボーン網メッセージの一つであるページング公知（ｐａｇｉｎｇ―ａｎｎｏｕｎｃｅ）メッセージを用いて遊休モードである移動端末のリストを管理し、ページンググループに属する全ての基地局の初期ページングを管理することができる。
【０００７】
遊休モードとは、一般に、移動端末が多重基地局で構成された無線リンク環境を移動するとき、特定の基地局に登録せずにダウンリンク（ＤＬ：Ｄｏｗｎ  Ｌｉｎｋ）ブロードキャストトラフィック伝送を周期的に行えるようにサポートする動作をいう。
【０００８】
遊休モードは、ハンドオーバーと関連した活性要求及び一般的な運営要求を除去することによって移動端末に利益を与えることができる。遊休モードは、離散周期で無線資源をスキャニングするように移動端末の活動を制限することによって、移動端末が使用する電力及び運用資源を節約することができる。
【０００９】
また、遊休モードは、移動端末にペンディング（ｐｅｎｄｉｎｇ）中のダウンリンクトラフィックについて知らせることができる簡単かつ適当な方式を提供し、非活動的な移動端末から無線インターフェース及びネットワークハンドオーバー（ＨＯ：Ｈａｎｄ  Ｏｖｅｒ）トラフィックを除去することによってネットワーク及び基地局に利益を与えることができる。
【発明の概要】
【発明が解決しようとする課題】
【００１０】
上述したように、無線ネットワークが移動端末に遊休モード動作を提供することによって、移動端末の電力の浪費を防止し、効率的なデータ受信を可能にするという長所を有する。
【００１１】
しかし、一般的に使用される保安方式では、移動端末の位置更新やネットワーク再進入時に行われるレンジング手順で移動端末の媒体接続制御（ＭＡＣ）住所の秘密性要求事項が考慮されないという問題がある。
【００１２】
本発明は、前記のような一般的な技術の問題を解決するためになされたもので、本発明の目的は、無線接続システムで使用可能な効果的な保安方法を提供することにある。
【００１３】
本発明の他の目的は、ページングメッセージで移動端末のＭＡＣ住所が保護されず、そのまま伝送される保安脅威を遮断することにある。
【００１４】
本発明の更に他の目的は、ページング制御器が移動端末にページング識別子（又はページング端末識別子）を割り当てることによって、移動端末のＭＡＣ住所が無線上に露出することを防止するための位置秘密性（Ｌｏｃａｔｉｏｎ  Ｐｒｉｖａｃｙ）サポート方法を提供することにある。
【００１５】
本発明の更に他の目的は、移動端末の遊休モードへの進入時、ネットワーク進入時、ネットワーク再進入時、及び位置更新時に移動端末を固有に識別できる臨時識別子を割り当てる方法を提供することにある。
【００１６】
本発明の更に他の目的は、遊休モード状態の移動端末が位置更新を行うとき、移動端末を固有に識別する臨時識別子を共に更新する方法を提供することにある。
【００１７】
本発明が達成しようとする技術的目的は、以上で言及した各事項に制限されず、言及していない他の技術的課題は、以下で説明する本発明の各実施例から本発明の属する技術分野で通常の知識を有する者に明確に導出されて理解されるだろう。
【課題を解決するための手段】
【００１８】
前記のような技術的課題を解決するために、本発明の各実施例は、無線接続システムで移動端末に対する保安をサポートする多様な方法を開示する。
【００１９】
本発明の一実施例として、移動端末の位置秘密性をサポートするための方法は、移動端末の位置秘密性をサポートするためのページング端末識別子を要請する要請メッセージを伝送する段階と、ページング識別子（又はページング端末識別子）が含まれた応答メッセージを受信する段階とを含むことができる。このとき、ページング識別子は、移動端末のＭＡＣ住所にマッピングされ、ページング領域を管理する媒体から割り当てられることが望ましい。
【００２０】
また、前記一実施例は、位置更新手順を行うために、ページング識別子を含むレンジング要請メッセージを伝送する段階をさらに含むことができる。このとき、前記方法は、新しいページング識別子及び新しいページンググループ識別子のうち一つ以上を含むレンジング応答メッセージを受信する段階をさらに含むことができる。
【００２１】
また、前記一実施例は、移動端末がネットワーク再進入手順を行うためのレンジング要請メッセージを伝送する段階をさらに含むことができる。このとき、レンジング要請メッセージは、ページング識別子を含むことが望ましい。
【００２２】
また、前記一実施例は、ネットワーク再進入手順で必要なハンドオーバー最適化情報を含むレンジング応答メッセージを受信する段階をさらに含むことができる。レンジング応答メッセージは、ターゲット基地局で、前記ページング制御器によってページング識別子にマッピングされる移動端末のＭＡＣ住所を用いて生成される。
【００２３】
本発明の第２の実施例として、移動端末の位置秘密性をサポートするための方法は、移動端末の位置秘密性をサポートするためのページング識別子を要請する要請メッセージを受信する段階と、ページング識別子を含む応答メッセージを移動端末に伝送する段階とを含むことができる。このとき、ページング識別子は、ページング領域を管理する媒体から割り当てられる。
【００２４】
また、前記第２の実施例は、移動端末からページング識別子を含むレンジング要請メッセージを受信する段階をさらに含むことができる。このとき、レンジング要請メッセージは、位置更新手順又はネットワーク再進入手順を行うために伝送される。
【００２５】
また、前記第２の実施例は、新しいページング識別子及び新しいページンググループ識別子のうち一つ以上を含むレンジング応答メッセージを伝送する段階をさらに含むことができる。
【００２６】
本発明の第３の実施例として、ページング制御器で移動端末の位置秘密性をサポートするための方法は、移動端末のＭＡＣ住所情報を含む要請メッセージを受信する段階と、ＭＡＣ住所情報と移動端末に割り当てるページング識別子とをマッピングする段階と、ページング識別子を含む応答メッセージを伝送する段階とを含むことができる。
【００２７】
また、前記第３の実施例は、移動端末の更新された位置情報を含むバックボーンメッセージを受信する段階をさらに含むことが望ましい。このとき、バックボーンメッセージは、位置更新手順でターゲット基地局から伝送される。
【００２８】
また、前記第３の実施例は、ページング識別子を含むバックボーンメッセージを受信する段階と、ページング識別子とマッピングされる移動端末のＭＡＣ住所を含むバックボーンメッセージを伝送する段階とをさらに含むことができる。このとき、前記バックボーンメッセージは、変更されたページンググループ識別子をさらに含むことができる。
【００２９】
本発明の第４の実施例として、移動端末の位置秘密性をサポートするための方法は、遊休モードへの進入を要請する登録解除要請メッセージをサービング基地局に伝送する段階と、サービング基地局から、移動端末に割り当てられた臨時識別子を含む登録解除命令メッセージを受信する段階とを含むことができる。このとき、臨時識別子は、サービング基地局の属したページンググループで移動端末を固有に識別するための識別子である。
【００３０】
前記第４の実施例は、移動端末がサービング基地局と位置更新手順を行えるように、臨時識別子を含むレンジング要請メッセージをサービング基地局に伝送する段階と、サービング基地局から、臨時識別子を含むレンジング応答メッセージを受信する段階とをさらに含むことができる。このとき、臨時識別子は、移動端末のＭＡＣ住所にマッピングされる。
【００３１】
前記第４の実施例において、位置更新手順は、ページンググループ位置更新、タイマー基盤の位置更新及びパワーダウン位置更新のうち一つであり、各始発条件が満足されるときに行われる。
【００３２】
前記第４の実施例において、移動端末がサービング基地局とネットワーク再進入手順を行えるように、臨時識別子を含むレンジング要請メッセージを伝送する段階と、サービング基地局から臨時識別子を含むレンジング応答メッセージを受信する段階とをさらに含むことができる。
【００３３】
前記第４の実施例は、サービング基地局から臨時識別子を含むページングメッセージを受信する段階をさらに含むことができる。
【００３４】
本発明の第５の実施例として、遊休モードの移動端末の位置秘密性をサポートするための方法は、移動端末が第１の基地局のセル領域で位置更新手順を行えるように、第１の臨時識別子を含むレンジング要請メッセージを前記第１の基地局に伝送する段階と、第１の基地局から第２の臨時識別子を含むレンジング応答メッセージを受信する段階とを含むことができる。このとき、第２の臨時識別子は、第２の基地局の属したページンググループで移動端末を固有に識別するための識別子であることが望ましい。
【００３５】
前記第５の実施例において、第１の臨時識別子は、移動端末が遊休モードに進入するとき、サービング基地局である第２の基地局から割り当てられる。第１の基地局及び第２の基地局が同一のページンググループに属していると、第２の臨時識別子は第１の臨時識別子と同一である。そして、第１の基地局及び第２の基地局が互いに異なるページンググループに属していると、第２の臨時識別子は、第１の臨時識別子と互いに異なる新しい臨時識別子である。
【００３６】
前記第５の実施例において、レンジング応答メッセージは、第２の基地局の属したページンググループのページンググループ識別子をさらに含むことができる。
【００３７】
本発明の第６の実施例として、移動端末の位置秘密性をサポートするための方法は、移動端末から遊休モードへの進入を要請する登録解除要請メッセージを受信する段階と、移動端末に割り当てられた臨時識別子を含む登録解除命令メッセージを前記移動端末に伝送する段階とを含むことができる。このとき、臨時識別子は、基地局の属したページンググループで移動端末を固有に識別するための識別子であることが望ましい。
【００３８】
前記第６の実施例において、サービング基地局は、移動端末と位置更新手順を行うことができる。すなわち、第６の実施例は、サービング基地局が移動端末から臨時識別子を含むレンジング要請メッセージを受信する段階と、移動端末に臨時識別子を含むレンジング応答メッセージを伝送する段階とをさらに含むことができる。このとき、臨時識別子は、移動端末のＭＡＣ住所にマッピングされる。
【００３９】
前記第６の実施例において、位置更新手順は、ページンググループ位置更新、タイマー基盤の位置更新及びパワーダウン位置更新のうち一つの始発条件が満足される場合に行われる。
【００４０】
また、前記第６の実施例は、移動端末とネットワーク再進入手順を行えるように、移動端末から臨時識別子を含むレンジング要請メッセージを受信する段階と、移動端末に臨時識別子を含むレンジング応答メッセージを伝送する段階とをさらに含むことができる。
【発明の効果】
【００４１】
本発明の各実施例によると、次のような効果がある。
【００４２】
第一に、無線接続システム上で効果的な保安方法を提供することができる。
【００４３】
第二に、本発明の各実施例を使用することによって、ページングメッセージで移動端末のＭＡＣ住所を保護することができる。また、移動端末のＭＡＣ住所を保護することによって、移動端末に対する保安脅威を遮断することができる。
【００４４】
第三に、ページング制御器で、移動端末のＭＡＣ住所を保護するために臨時に使用されるページング識別子を移動端末に割り当てることによって、移動端末のＭＡＣ住所が無線上で露出することを防止することができる。したがって、移動端末の位置秘密性をサポートすることができる。
【００４５】
第四に、移動端末の遊休モードへの進入時、ネットワーク進入時、ネットワーク再進入時及び位置更新時に移動端末を固有に識別できる臨時識別子が割り当てられることによって、遊休モードの移動端末の位置秘密性を効果的に保護することができる。
【００４６】
第五に、遊休モード状態の移動端末が位置更新を行うとき、移動端末を固有に識別する臨時識別子を共に更新することによって、移動端末の位置秘密性を持続的に保護することができる。
【００４７】
本発明の各実施例で得られる効果は、以上で言及した各効果に制限されず、言及していない他の効果は、以下の本発明の各実施例に対する記載から本発明の属する技術分野で通常の知識を有する者に明確に導出されて理解されるだろう。
【図面の簡単な説明】
【００４８】
【図１】多数の基地局からなるページンググループの一例を示す図である。
【図２】移動端末が遊休モードからウェイクアップして位置更新を行う場合の初期レンジング手順を示す図である。
【図３】遊休モードの移動端末がネットワークに再進入する場合の初期レンジング手順を示す図である。
【図４】本発明の一実施例によって、移動端末が遊休モードに進入するとき、移動端末にページング識別子を割り当てる方法を示す図である。
【図５】本発明の他の実施例によって、遊休モードに進入する移動端末にページング識別子を割り当てる過程を示す図である。
【図６】本発明の更に他の実施例によって、ページング識別子を用いた位置更新時の初期レンジング過程を示す図である。
【図７】本発明の更に他の実施例によって、ページング識別子を用いたネットワーク再進入手順を行うときの初期レンジング過程を示す図である。
【発明を実施するための形態】
【００４９】
本発明の各実施例は、無線接続システムで移動端末の保安をサポートする多様な方法に関するものである。
【００５０】
以下の各実施例は、本発明の各構成要素と各特徴を所定形態で結合したものである。各構成要素又は特徴は、別途の明示的な言及がない限り、選択的なものとして考慮される。各構成要素又は特徴は、他の構成要素や特徴と結合していない形態で実施される。また、一部の構成要素及び／又は各特徴を結合して本発明の実施例を構成することもできる。本発明の各実施例で説明する各動作の順序は変更可能である。一つの実施例の一部の構成や特徴は、他の実施例に含まれたり、又は他の実施例の対応する構成又は特徴に取り替えられる。
【００５１】
図面の説明において、本発明の要旨を不明瞭にする手順又は段階などは記述しておらず、当業者の水準で理解可能な程度の手順又は段階も記述していない。
【００５２】
本明細書において、本発明の各実施例は、基地局と移動端末との間のデータ送受信関係を中心にして説明した。ここで、基地局は、移動端末と直接的に通信を行うネットワークの終端ノードを意味する。本文書で基地局によって行われると説明した特定動作は、場合によっては基地局の上位ノードによって行われることもある。
【００５３】
すなわち、基地局を含む多数のネットワークノードからなるネットワークで移動端末との通信のために行われる多様な動作は、基地局又は基地局以外の他のネットワークノードによって行われ得ることが自明である。「基地局」は、固定局、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイントなどの他の用語に取り替えられる。また、「移動端末（ＭＳ：Ｍｏｂｉｌｅ  Ｓｔａｔｉｏｎ）」は、ＵＥ（Ｕｓｅｒ  Ｅｑｕｉｐｍｅｎｔ）、ＭＴ（Ｍｏｂｉｌｅ  Ｔｅｒｍｉｎａｌ）、ＭＳＳ（Ｍｏｂｉｌｅ  Ｓｕｂｓｃｒｉｂｅｒ  Ｓｔａｔｉｏｎ）、加入者端末（ＳＳ：Ｓｕｂｓｃｒｉｂｅ  Ｓｔａｔｉｏｎ）、又は発展した移動端末（ＡＭＳ：Ａｄｖａｎｃｅｄ  Ｍｏｂｉｌｅ  Ｓｔａｔｉｏｎ）などの用語に取り替えられる。
【００５４】
また、送信端はデータ又は音声サービスを伝送するノードを意味し、受信端はデータ又は音声サービスを受信するノードを意味する。したがって、アップリンクでは、移動端末が送信端になり、基地局が受信端になる。これと同様に、ダウンリンクでは、移動端末が受信端になり、基地局が送信端になる。
【００５５】
一方、本発明の移動端末としては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどが用いられる。
【００５６】
本発明の各実施例は多様な手段を通して具現される。例えば、本発明の各実施例は、ハードウェア、ファームウェア、ソフトウェア又はそれらの結合などによって具現される。
【００５７】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【００５８】
ファームウェアやソフトウェアによる具現の場合、本発明の各実施例に係る方法は、以上説明した機能又は各動作を行うモジュール、手順又は関数などの形態で具現される。ソフトウェアコードは、メモリユニットに格納されてプロセッサによって駆動される。前記メモリユニットは、前記プロセッサの内部又は外部に位置し、既に公知となった多様な手段によって前記プロセッサとデータを取り交わすことができる。
【００５９】
本発明の各実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によってサポートされる。すなわち、本発明の各実施例のうち本発明の技術的思想を明確にするために説明していない各段階又は各部分は、前記各文書によってサポートされる。また、本文書で開示している全ての用語は、前記標準文書によって説明される。特に、本発明の各実施例は、ＩＥＥＥ  ８０２．１６システムの標準文書であるＰ８０２．１６―２００４、Ｐ８０２．１６ｅ―２００５及びＰ８０２．１６Ｒｅｖ２文書のうち一つ以上によってサポートされる。
【００６０】
以下の説明で使用される特定用語は、本発明の理解を促進するために提供されたもので、このような特定用語の使用は、本発明の技術的思想を逸脱しない範囲で他の形態に変更可能である。例えば、本発明の各実施例で使用されるページング識別子（Ｐ＿ＩＤ：Ｐａｇｉｎｇ  Ｉｄｅｎｔｉｆｉｅｒ）は、移動端末のＭＡＣ住所の露出を防止するために臨時に使用される識別子であるので、同一の意味としてページング端末識別子（Ｐａｇｉｎｇ  ＭＳ  ＩＤ）又は臨時識別子に変更して使用することができる。
【００６１】
本発明の各実施例で使用されるページング識別子（Ｐ＿ＩＤ）は、臨時識別子として、特定ページンググループで遊休モード状態の移動端末を固有に識別する臨時識別子を示す。すなわち、ページング識別子は、ページンググループを識別するページンググループ識別子（ＰＧ―ＩＤ）とは異なる識別子である。
【００６２】
また、このような臨時識別子は、特定ページンググループで遊休モードにある移動端末（ＡＭＳ）を固有に識別するために割り当てられる。移動端末の臨時識別子は、移動端末が同一のページンググループに留まる限り、有効に維持される。
【００６３】
以下では、位置更新について簡略に説明する。
【００６４】
遊休モード状態にある移動端末（ＭＳ：Ｍｏｂｉｌｅ  Ｓｔａｔｉｏｎ）は、いくつかの位置更新始発条件が充足される場合、位置更新手順を行うことができる。例えば、ページンググループ位置更新、タイマー基盤の位置更新、パワーダウン位置更新及びＭＡＣハッシュスキップ閾値更新（ＭＡＣ  Ｈａｓｈ  Ｓｋｉｐ  Ｔｈｒｅｓｈｏｌｄ  Ｕｐｄａｔｅ）などの位置更新基準がある。
【００６５】
移動端末は、ページンググループが変更されると、ページンググループ位置更新過程を行うことができる。移動端末は、移動端末ページング聴取区間（ＭＳ  Ｐａｇｉｎｇ  Ｌｉｓｔｅｎｉｎｇ  Ｉｎｔｅｒｖａｌ）の間、ＤＣＤメッセージ又はＭＯＢ＿ＰＡＧ―ＡＤＶブロードキャストメッセージで好む基地局によって伝送されたページンググループ識別子（ＰＧ―ＩＤ）を監視することによってページンググループの変化を感知することができる。検出されたＰＧ―ＩＤが移動端末の属するページンググループに該当しない場合、移動端末は、ページンググループが変更されたことを認識することができる。
【００６６】
移動端末では、遊休モードタイマーが満了する前に位置更新過程を周期的に行うことができる。これをタイマー基盤の位置更新という。
【００６７】
移動端末は、位置更新完了をパワーダウン過程の一部分として試みる。パワーダウンメカニズムを通して電源が中断されたとき、ページング制御器は、移動端末の正確な状態を更新し、移動端末の全ての情報を削除し、移動端末のための遊休モードページング制御を中断する。パワーダウン更新を成功的に完了すると、ページング制御器は、移動端末と関連した全ての遊休モード維持情報を解除しなければならない。これをパワーダウン位置更新という。
【００６８】
移動端末は、ＭＡＣハッシュスキップカウンターがＭＡＣハッシュスキップ閾値を連続的に超えると、位置更新過程を行わなければならない。成功的に位置更新を行った後、基地局と移動端末は、それぞれのＭＡＣハッシュスキップカウンターを再び初期化することができる。これをＭＡＣハッシュスキップ閾値更新という。
【００６９】
遊休モードの移動端末は、ターゲット基地局と共有する保安連係（ＳＡ：Ｓｅｃｕｒｉｔｙ  Ａｓｓｏｃｉａｔｉｏｎ）によって、自身の位置を更新することに決定することができる。移動端末で位置を更新することに決定した場合、移動端末は、保安位置更新手順又は非保安位置更新手順にしたがって位置更新を行うことができる。
【００７０】
図２は、移動端末が遊休モードからウェイクアップして位置更新を行う場合の初期レンジング手順を示す図である。
【００７１】
図２を参照すると、移動端末は、ターゲット基地局（ＴＢＳ：Ｔａｒｇｅｔ  Ｂａｓｅ  Ｓｔａｔｉｏｎ）に移動端末の識別子であるＭＡＣ住所を含むレンジング要請（ＲＮＧ―ＲＥＱ）メッセージを伝送する（Ｓ２０１）。
【００７２】
Ｓ２０１段階で、レンジング要請メッセージは、ハンドオーバー指示、位置更新要請、ページング制御ＴＬＶ及びＨＭＡＣタプル（ＨＭＡＣ  Ｔｕｐｌｅ）情報などを含むことができる。
【００７３】
ターゲット基地局は、移動端末からＲＮＧ―ＲＥＱメッセージを受信すると、ページング制御器に移動端末の新しい位置情報を含むバックボーンメッセージを伝送する（Ｓ２０２）。
【００７４】
また、ページング制御器は、自身のページンググループに含まれた各基地局に移動端末の新しい位置情報を知らせる（Ｓ２０３）。
【００７５】
ターゲット基地局がレンジング要請メッセージに含まれたＨＭＡＣ／ＣＭＡＣタプルを移動端末に供給できる場合、ターゲット基地局は、移動端末との位置更新を完了するために位置更新応答情報及びＨＭＡＣタプル情報を含むレンジング応答メッセージを移動端末に伝送する。このとき、移動端末の属しているページンググループが変更された場合、ターゲット基地局は、変更されたページンググループ識別子（ＰＧ―ＩＤ：Ｐａｇｉｎｇ  Ｇｒｏｕｐ  Ｉｄｅｎｔｉｆｉｅｒ）を含む前記レンジング応答メッセージを移動端末に伝送する（Ｓ２０４）。
【００７６】
図２において、レンジング要請メッセージ及び応答メッセージを送受信するとき、移動端末及び基地局は、無線インターフェースで何らの保護なしに移動端末のＭＡＣ住所を伝送する。この場合、移動端末の位置情報が悪意のある攻撃者にそのまま露出するという保安上の危険がある。
【００７７】
図３は、遊休モードの移動端末がネットワークに再進入する場合の初期レンジング手順を示す図である。
【００７８】
移動端末がターゲット基地局と有効な保安コンテキストを共有すると、移動端末は、有効なＨＭＡＣ／ＣＭＡＣタプルを含むレンジング要請（ＲＮＧ―ＲＥＱ）メッセージをターゲット基地局に伝送することによってネットワーク再進入手順を開始することができる（Ｓ３０１）。
【００７９】
Ｓ３０１段階で、レンジング要請メッセージは、レンジング目的指示ＴＬＶ（Ｒａｎｇｉｎｇ  Ｐｕｒｐｏｓｅ  Ｉｎｄｉｃａｔｉｏｎ  ＴＬＶ）及びページング制御器識別子ＴＬＶ（Ｐａｇｉｎｇ  Ｃｏｎｔｒｏｌｌｅｒ  Ｉｄｅｎｔｉｆｉｅｒ  ＴＬＶ）をさらに含むことができる。
【００８０】
移動端末がサービング基地局のセル領域からターゲット基地局のセル領域に移動する場合、ターゲット基地局が移動端末の保安情報を知らない場合がある。この場合、ターゲット基地局は、バックボーン網を介してページング制御器に移動端末の保安情報を要請することができる。このとき、ページング制御器は、サービング基地局と同一又は別個の個体である。ページング制御器とサービング基地局が互いに異なる個体であると、ページング制御器は、サービング基地局に移動端末の保安情報を要請することができる（Ｓ３０２）。
【００８１】
ページング制御器は、ターゲット基地局の要請に対する応答として、バックボーン網を介してターゲット基地局に移動端末の情報を知らせることができる（Ｓ３０３）。
【００８２】
ターゲット基地局は、ページング制御器を通して移動端末のサービス及び運用コンテキスト情報を獲得することができる。したがって、ターゲット基地局は、遊休モードでネットワーク再進入を試みることを指示するレンジング応答メッセージを移動端末に伝送することができる（Ｓ３０４）。
【００８３】
図３で遊休モード状態の移動端末がネットワーク再進入手順を行う場合、移動端末のＭＡＣ住所が何らの保護なしに透明に無線インターフェースを介してターゲット基地局に伝送される。この場合、移動端末の位置秘密性が保障されない保安脅威が存在するおそれがある。図３のネットワーク再進入手順の場合、ターゲット基地局が移動端末に関する情報を保有していない状態であるので、ターゲット基地局は、ページングコントローラに該当の移動端末の情報を要請しなければならない。
【００８４】
以下では、位置更新過程、ネットワーク進入、ネットワーク再進入などで行われるレンジング過程で移動端末のＭＡＣ住所を保護する方法について詳細に説明する。
【００８５】
位置秘密性とは、ユーザ及び移動端末の識別子に対する攻撃者の能動的及び受動的な攻撃の保安を意味する。すなわち、位置秘密性は、ネットワークと移動端末との間で交換されるユーザ及び移動端末識別子に対する単純な盗聴防止から、これを用いた今後の多様な防御を含む。
【００８６】
悪意のある攻撃者は、移動端末のＭＡＣ住所を獲得することによって正常な移動端末のように見せかけることができる。したがって、ユーザ（又は移動端末）に対する位置秘密性の要求事項が必ず考慮されるべきである。すなわち、ネットワークに深刻な負荷をもたらさない状態で、移動端末のＭＡＣ住所が悪意のある攻撃者に露出することを防止できる解決策が必要である。そのため、以下の各実施例では、移動端末の位置更新、初期ネットワーク進入及びネットワーク再進入のためのレンジング手順が行われるとき、移動端末のＭＡＣ住所を保護するための方法を提案する。
【００８７】
位置更新時の初期レンジングのための臨時識別子の割り当ては、初期化時の初期レンジングのための臨時識別子の割り当てと類似した網次元の動作を必要とする。したがって、以下では、特定のページンググループで遊休モードに進入する特定の移動端末を識別するための追加的な臨時識別子（例えば、ページング識別子（Ｐａｇｉｎｇ  ＩＤ：Ｐａｇｉｎｇ  Ｉｄｅｎｔｉｆｉｅｒ））を割り当てる方法について詳細に説明する。このような方法を通して、移動端末は、遊休モードを終了して位置更新を行うとき、臨時識別子であるページング識別子を用いて自身のＭＡＣ住所の露出を防止することができる。
【００８８】
図４は、本発明の一実施例によって、移動端末が遊休モードに進入するとき、移動端末にページング識別子を割り当てる方法を示す図である。
【００８９】
移動端末は、レンジング手順で移動端末の位置秘密性（例えば、ＭＡＣ住所）を保護するためのページング識別子をページング制御器から受けることができる。例えば、移動端末は、ページング識別子を要請する所定の要請メッセージをページング制御器に伝送することによってページング識別子を要請することができる（Ｓ４０１）。
【００９０】
ページング制御器は、移動端末の位置秘密性（例えば、ＭＡＣ住所）を保護するための臨時識別子であるページング識別子を移動端末に割り当てることができる。したがって、ページング制御器は、ページング識別子を含む応答メッセージを移動端末に伝送することができる（Ｓ４０２）。
【００９１】
移動端末とページング制御器は、ページング識別子を用いて位置更新手順又は網再進入手順を行うことができる。移動端末のＭＡＣ住所は、ページング識別子によって保護されるので、移動端末の位置情報が露出する危険を除去することができる（Ｓ４０３、Ｓ４０４）。
【００９２】
図４で、移動端末は、任意のターゲット基地局に移動した後、遊休モードを終了する場合、ページング識別子を用いてターゲット基地局と位置更新を行うことができる。このとき、移動端末は、ページングメッセージを受信する場合にもページング識別子を用いることができる。すなわち、移動端末は、ページング制御器と位置更新を行うとき、ページング識別子を使用することができる。また、ページング制御器は、ページング識別子を用いて移動端末を識別することができる。
【００９３】
図５は、本発明の他の実施例によって、遊休モードに進入する移動端末にページング識別子を割り当てる過程を示す図である。
【００９４】
移動端末は、サービスを受けるサービング基地局のセルで遊休モードに転換するとき、ページング制御器又はサービング基地局から遊休モードで使用する臨時識別子であるページング識別子の割り当てを受けることができる。移動端末のＭＡＣ住所は、ページング識別子を用いて保護される。移動端末に割り当てられた臨時識別子（すなわち、ページング識別子）は、移動端末が同一のページンググループに含まれている限り、有効に維持される。
【００９５】
図５を参照すると、移動端末は、遊休モードに進入するために登録解除要請（ＤＲＥＧ―ＲＥＱ：Ｄｅｒｅｇｉｓｔｒａｔｉｏｎ  Ｒｅｑｕｅｓｔ）メッセージをサービング基地局（Ｓｅｒｖｉｎｇ  ＢＳ）に伝送することができる。このとき、登録解除要請メッセージは、遊休モード維持情報（Ｉｄｌｅ  Ｍｏｄｅ  Ｒｅｔａｉｎ  ＩＥ）を含むことができる（Ｓ５０１）。
【００９６】
サービング基地局は、ページング制御器に移動端末が遊休モードに進入することを知らせる（Ｓ５０２）。
【００９７】
ページング制御器は、特定のページンググループで遊休モード状態の移動端末を固有に識別するために使用される臨時識別子であるページング識別子（Ｐ＿ＩＤ）を移動端末に割り当て、サービング基地局にページング識別子を含むメッセージを伝送することができる（Ｓ５０３）。
【００９８】
サービング基地局は、移動端末が有効モードに進入できるように、ページング識別子及び遊休モード維持情報を含む登録解除命令（ＤＲＥＧ―ＣＭＤ：Ｄｅｒｅｇｉｓｔｒａｔｉｏｎ―ｃｏｍｍａｎｄ）メッセージを伝送することができる（Ｓ５０４）。
【００９９】
その後、移動端末は、タイマーが満了する場合、ページング識別子を用いてサービング基地局と位置更新を行ったり、正常モード状態でサービング基地局とページング識別子を用いてネットワーク再進入手順を行うことができる。また、サービング基地局は、移動端末が遊休モードに進入すると、移動端末に対するサービス情報及び動作情報を削除することができる。
【０１００】
また、移動端末は、遊休モード状態でページング制御器及び／又はサービング基地局から伝送されるページングメッセージを受信することができる。このとき、ページング制御器及び／又はサービング基地局は、移動端末の位置秘密性を保護するために、移動端末のＭＡＣ住所の代わりに臨時識別子を用いてページングメッセージを伝送することができる。
【０１０１】
図６は、本発明の更に他の実施例によって、位置更新時のページング識別子を用いて行われる初期レンジング過程を示す図である。
【０１０２】
ページング制御器は、一つ以上の基地局を含むページンググループを制御することができる。以下では、移動端末が遊休モード進入を要請したサービング基地局（図５参照）及び図６のターゲット基地局が同一のページンググループに含まれると仮定する。また、図６の位置更新は、上述した多様な位置更新始発条件によって行われる場合にも適用される。
【０１０３】
ページング制御器は、図５で移動端末に割り当てた臨時識別子であるページング識別子（Ｐ＿ＩＤ）と移動端末のＭＡＣ住所との間のマッピング情報を維持することができる。ページング制御器が変更された場合は、新しいページング制御器が以前のページング制御器から移動端末と関連した情報を獲得することができる。したがって、新しいページング制御器も、移動端末のページング識別子とＭＡＣ住所との間のマッピング情報を用いて移動端末を識別することができる。
【０１０４】
移動端末は、ターゲット基地局領域に移動するときに位置更新を行うことができる。すなわち、移動端末は、位置更新のためにターゲット基地局と初期レイジング手順を行うことができる。このとき、移動端末は、位置更新を行うために基地局にページング識別子（Ｐ＿ＩＤ）、ハンドオーバー指示子、位置更新要請パラメータ、ページング制御ＴＬＶ及びＨＭＡＣタプルパラメータなどを含むレンジング要請（ＲＮＧ―ＲＥＱ）メッセージを伝送することができる（Ｓ６０１）。
【０１０５】
Ｓ６０１段階で、移動端末は、図４又は図５で割り当てられた臨時識別子であるページング識別子を用いることができる。すなわち、移動端末のＭＡＣ住所とマッピングされるページング識別子をＭＡＣ住所の代わりに用いることによって、移動端末のＭＡＣ住所を無線インターフェース上で保護することができる。
【０１０６】
ターゲット基地局は、移動端末が自身のセル領域に進入したので、移動端末の新しい位置情報をページング制御器に伝達する。また、ページング制御器は、移動端末と関連したページング情報と、ターゲット基地局が他のページンググループに属している場合、他のページンググループで移動端末を固有に識別する新しい臨時識別子をターゲット基地局に伝達することができる（Ｓ６０２）。
【０１０７】
ターゲット基地局は、移動端末の位置更新要請に対して応答するために、ＣＭＡＣタプル及び／又はＨＭＡＣタプル、ページング識別子（又は、ページング端末識別子）を含むレンジング応答（ＲＮＧ―ＲＳＰ）メッセージを伝送することができる（Ｓ６０３）。
【０１０８】
Ｓ６０３段階で移動端末の移動によってページンググループが変更される場合、ターゲット基地局は、該当のページンググループで移動端末を識別するための臨時識別子（例えば、Ｐ＿ＩＤ）及び該当のページンググループのページンググループ識別子（ＰＧ＿ＩＤ：Ｐａｇｉｎｇ  Ｇｒｏｕｐ  Ｉｄｅｎｔｉｆｉｅｒ）を含むレンジング応答メッセージを移動端末に伝送することができる。
【０１０９】
本発明の更に他の実施例として、基地局は、ページンググループの変更とは関係なく移動端末にページング識別子及び／又はページンググループ識別子を割り当てることができる。したがって、基地局は、移動端末と位置更新を行うときごとに、新しいページング識別子及び／又はページンググループ識別子（ＰＧ＿ＩＤ）を含むレンジング応答（ＲＮＧ―ＲＳＰ）メッセージを移動端末に伝送することができる。
【０１１０】
図６で、ページング制御器が変更される場合を仮定することができる。この場合、変更されたページング制御器は、移動端末に新しいページング識別子（又はページング端末識別子）を割り当て、これをターゲット基地局に伝送し、ターゲット基地局は、新しいページング識別子を含むレンジング応答メッセージを移動端末に伝送することができる。したがって、移動端末がターゲット基地局と初期レンジングを行う場合、移動端末は、ページング制御器によって割り当てられたページング識別子を新しい基地局に伝達することができる。
【０１１１】
これにより、互いに異なるページング制御器は、互いに異なるページング識別子を移動端末に割り当てることができる。したがって、移動端末は、一つ以上のページング識別子を用いてＭＡＣ住所の露出を防止することができる。追加的に、ページンググループが変更された場合、移動端末に伝達されるレンジング応答メッセージには新しいページンググループ識別子（ＰＧ＿ＩＤ）がさらに含まれる。
【０１１２】
また、移動端末は、遊休モード状態でターゲット基地局に移動する場合、ページング制御器及び／又はターゲット基地局から伝送されるページングメッセージを受信することができる。このとき、ページング制御器及び／又はターゲット基地局は、移動端末の位置秘密性を保護するために、移動端末のＭＡＣ住所の代わりに臨時識別子を用いてページングメッセージを伝送することができる。
【０１１３】
図７は、本発明の更に他の実施例として、ページング識別子を用いてネットワーク再進入手順を行うときの初期レンジング過程を示す図である。
【０１１４】
移動端末は、ターゲット基地局へのネットワーク再進入を行うためにページング識別子を使用することができる。すなわち、移動端末は、臨時識別子であるページング識別子（Ｐ＿ＩＤ）、ハンドオーバー指示子、位置更新要請、ページング制御器ＴＬＶ及びＭＡＣタプル（ＣＭＡＣタプル及び／又はＨＭＡＣタプル）情報を含むＲＮＧ―ＲＥＱメッセージを伝送することができる（Ｓ７０１）。
【０１１５】
Ｓ７０１段階で、移動端末が伝送するレンジング要請メッセージのＭＡＣ住所は、ページング識別子（Ｐ＿ＩＤ）によって保護される。すなわち、移動端末のＭＡＣ住所は、ページング識別子を通して保護されることによって、無線インターフェース上で露出しなくなる。この場合、ページング識別子は、前記移動端末が遊休モードに進入する場合、サービング基地局から予め割り当てられたものである。
【０１１６】
ハンドオーバーの目的になるターゲット基地局は、移動端末の情報を有していない。したがって、移動端末からページング識別子が含まれたレンジング要請メッセージを受信した後、ターゲット基地局は、ページング制御器から移動端末のＭＡＣ住所に関する情報を獲得しなければならない。このために、ターゲット基地局は、ページング識別子を含む移動端末情報要請（ＭＳ  Ｉｎｆｏ  Ｒｅｑｕｅｓｔ）メッセージをページング制御器に伝送することができる（Ｓ７０２）。
【０１１７】
ページング制御器は、移動端末に割り当てられたページング識別子（Ｐ＿ＩＤ）にマッピングされる、移動端末のＭＡＣ住所を含む移動端末情報応答（ＭＳ  Ｉｎｆｏ  Ｒｅｓｐｏｎｓｅ）メッセージをターゲット基地局に伝達することができる（Ｓ７０３）。
【０１１８】
Ｓ７０３段階で、ターゲット基地局は、移動端末情報応答メッセージを受信することによって、ページング識別子にマッピングされる移動端末のＭＡＣ住所を知ることができる。すなわち、ページング識別子と移動端末のＭＡＣ住所との間のマッピング情報がページング識別子によって維持されるので、ターゲット基地局は、マッピング情報を用いて移動端末を識別することができる。
【０１１９】
ターゲット基地局は、ネットワーク再進入手順を行うときの移動端末のレンジング要請メッセージに対する応答として、レンジング応答（ＲＮＧ―ＲＳＰ）メッセージを移動端末に伝送することができる。このとき、レンジング応答メッセージは、位置更新応答、新しいページング識別子、ＭＡＣタプル（例えば、ＣＭＡＣタプル及び／又はＨＭＡＣタプル）及びネットワーク進入時に必要なハンドオーバー最適化情報（ＨＯ  Ｏｐｔｉｍｉｚａｔｉｏｎ  ＩＥ）のうち少なくとも一つを含むことができる（Ｓ７０４）。
【０１２０】
図７の方法を参照すると、遊休モード状態の移動端末がターゲット基地局領域に移動し、正常モードに進入する過程でターゲット基地局へのネットワーク再進入を試みる場合、移動端末のＭＡＣ住所が露出することを防止することができる。すなわち、移動端末は、ページング識別子を用いてネットワーク再進入のためのレンジング要請メッセージに含まれる自身のＭＡＣ住所を保護することができる。このとき、ページング識別子は、遊休モード状態への進入時、又は遊休モード状態での位置更新時にページング制御器及び／又は基地局から割り当てられる（図５及び図６参照）。
【０１２１】
図７で、移動端末がターゲット基地局を通してネットワーク再進入を行うとき、移動端末は、ページング制御器によって割り当てられたページング識別子をターゲット基地局に伝達することができる。これを受信したターゲット基地局は、ページング制御器から受信した該当の移動端末のＭＡＣ住所とページング識別子のマッピング情報を用いて、ページング識別子を自身に伝送した移動端末を識別することができる。
【０１２２】
本発明の更に他の実施例として、上述した図４〜図７を参照して説明した本発明の各実施例が行われる移動端末及び基地局について説明する。
【０１２３】
移動端末は、アップリンクでは送信機として動作し、ダウンリンクでは受信機として動作することができる。また、基地局は、アップリンクでは受信機として動作し、ダウンリンクでは送信機として動作することができる。すなわち、移動端末及び基地局は、情報又はデータの伝送のために送信機及び受信機を含むことができる。
【０１２４】
送信機及び受信機は、本発明の各実施例を行うためのプロセッサ、モジュール、部分及び／又は手段などを含むことができる。特に、送信機及び受信機は、メッセージを暗号化するためのモジュール（手段）、暗号化されたメッセージを解釈するためのモジュール、メッセージを送受信するためのアンテナなどを含むことができる。
【０１２５】
本発明の各実施例で使用される移動端末は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、移動端末は、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー機能、認証及び暗号化機能、データ伝送のためのパケット変復調機能、高速パケットチャンネルコーディング機能、認可／保安連係（ＳＡ）制御手段、ＥＡＰ暗号化／復号化手段、位置秘密性保護手段、及びＭＰＤＵ暗号化／認証手段のうち少なくとも一つを含むセキュリティ機能及び実時間モデム制御機能などを行う手段、モジュール又は部分などを含むことができる。
【０１２６】
基地局は、上位階層から受信したデータを無線又は有線で移動端末に伝送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の各実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、認可／保安連係（ＳＡ）制御手段、ＥＡＰ暗号化／復号化手段、位置秘密性保護手段、及びＭＰＤＵ暗号化／認証手段のうち少なくとも一つを含むセキュリティ機能、高速パケットチャンネルコーディング機能及び実時間モデム制御機能などを行う手段、モジュール又は部分などを含むことができる。
【０１２７】
本発明は、本発明の精神及び必須的特徴を逸脱しない範囲で他の特定の形態で具体化され得る。したがって、上述した詳細な説明は、全ての面で制限的に解釈されてはならず、例示的なものとして考慮されなければならない。本発明の範囲は、添付された請求項の合理的な解釈によって決定されなければならず、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【０１２８】
本発明の各実施例は多様な無線接続システムに適用される。多様な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の各実施例は、前記多様な無線接続システムだけでなく、前記多様な無線接続システムを応用した全ての技術分野に適用される。
【図１】
2011527530.tif 000003
【図２】
2011527530.tif 000004
【図３】
2011527530.tif 000005
【図４】
2011527530.tif 000006
【図５】
2011527530.tif 000007
【図６】
2011527530.tif 000008
【図７】
2011527530.tif 000009
【手続補正書】
【提出日】平成23年2月16日(2011.2.16)
【手続補正１】
【補正対象書類名】明細書
【補正対象項目名】００４０
【補正方法】変更
【補正の内容】
【００４０】
また、前記第６の実施例は、移動端末とネットワーク再進入手順を行えるように、移動端末から臨時識別子を含むレンジング要請メッセージを受信する段階と、移動端末に臨時識別子を含むレンジング応答メッセージを伝送する段階とをさらに含むことができる。
（項目１）
移動端末の位置秘密性をサポートするための方法において、
遊休モードへの進入を要請する登録解除要請メッセージをサービング基地局に伝送する段階と、
前記サービング基地局から前記移動端末に割り当てられた臨時識別子を含む登録解除命令メッセージを受信する段階と、を含み、
前記臨時識別子は、前記サービング基地局の属したページンググループで前記移動端末を固有に識別するための識別子であることを特徴とする位置秘密性サポート方法。
（項目２）
前記移動端末が前記サービング基地局と位置更新手順を行えるように、前記臨時識別子を含むレンジング要請メッセージを前記サービング基地局に伝送する段階と、
前記サービング基地局から前記臨時識別子を含むレンジング応答メッセージを受信する段階と、をさらに含む、項目１に記載の位置秘密性サポート方法。
（項目３）
前記臨時識別子は、前記移動端末の媒体接続制御（ＭＡＣ）住所にマッピングされることを特徴とする、項目２に記載の位置秘密性サポート方法。
（項目４）
前記位置更新手順は、
ページンググループ位置更新、タイマー基盤の位置更新及びパワーダウン位置更新のうち一つであることを特徴とする、項目２に記載の位置秘密性サポート方法。
（項目５）
前記移動端末が前記サービング基地局とネットワーク再進入手順を行えるように、前記臨時識別子を含むレンジング要請メッセージを伝送する段階と、
前記サービング基地局から新しい臨時識別子を含むレンジング応答メッセージを受信する段階と、をさらに含む、項目１に記載の位置秘密性サポート方法。
（項目６）
前記サービング基地局から前記臨時識別子を含むページングメッセージを受信する段階をさらに含む、項目１に記載の位置秘密性サポート方法。
（項目７）
遊休モード移動端末の位置秘密性をサポートするための方法において、
前記移動端末が第１の基地局のセル領域で位置更新手順を行えるように、第１の臨時識別子を含むレンジング要請メッセージを前記第１の基地局に伝送する段階と、
前記第１の基地局から第２の臨時識別子を含むレンジング応答メッセージを受信する段階と、を含み、
前記第２の臨時識別子は、前記第２の基地局の属したページンググループで前記移動端末を固有に識別するための識別子であることを特徴とする位置秘密性サポート方法。
（項目８）
前記第１の臨時識別子は、前記移動端末が遊休モードに進入するとき、サービング基地局である第２の基地局から割り当てられることを特徴とする、項目７に記載の位置秘密性サポート方法。
（項目９）
前記第１の基地局及び前記第２の基地局が同一のページンググループに属していると、前記第２の臨時識別子は前記第１の臨時識別子と同一であり、
前記第１の基地局及び前記第２の基地局が互いに異なるページンググループに属していると、前記第２の臨時識別子は前記第１の臨時識別子と互いに異なることを特徴とする、項目８に記載の位置秘密性サポート方法。
（項目１０）
前記レンジング応答メッセージは、
前記第２の基地局の属したページンググループのページンググループ識別子をさらに含むことを特徴とする、項目８に記載の位置秘密性サポート方法。
（項目１１）
移動端末の位置秘密性をサポートするための方法において、
前記移動端末から遊休モードへの進入を要請する登録解除要請メッセージを受信する段階と、
前記移動端末に割り当てられた臨時識別子を含む登録解除命令メッセージを前記移動端末に伝送する段階と、を含み、
前記臨時識別子は、基地局の属したページンググループで前記移動端末を固有に識別するための識別子であることを特徴とする位置秘密性サポート方法。
（項目１２）
前記移動端末と位置更新手順を行えるように、前記移動端末から前記臨時識別子を含むレンジング要請メッセージを受信する段階と、
前記移動端末に前記臨時識別子を含むレンジング応答メッセージを伝送する段階と、をさらに含む、項目１１に記載の位置秘密性サポート方法。
（項目１３）
前記臨時識別子は、前記移動端末の媒体接続制御（ＭＡＣ）住所にマッピングされることを特徴とする、項目１２に記載の位置秘密性サポート方法。
（項目１４）
位置更新手順は、
ページンググループ位置更新、タイマー基盤の位置更新及びパワーダウン位置更新のうち一つの始発条件が満足される場合に行われることを特徴とする、項目１２に記載の位置秘密性サポート方法。
（項目１５）
前記移動端末とネットワーク再進入手順を行えるように、前記移動端末から前記臨時識別子を含むレンジング要請メッセージを受信する段階と、
前記移動端末に前記臨時識別子を含むレンジング応答メッセージを伝送する段階と、をさらに含む、項目１１に記載の位置秘密性サポート方法。
【手続補正２】
【補正対象書類名】特許請求の範囲
【補正対象項目名】全文
【補正方法】変更
【補正の内容】
【特許請求の範囲】
【請求項１】
移動端末の遊休モードをサポートするための方法において、
遊休モードへの進入を要請する登録解除要請メッセージを第１の基地局に伝送する段階と、
前記第１の基地局から前記移動端末に割り当てられたページング識別子を含む登録解除命令メッセージを受信する段階と、を含み、
前記ページング識別子は、前記第１の基地局の属したページンググループで前記遊休モードの移動端末を固有に識別するための識別子であることを特徴とする遊休モードサポート方法。
【請求項２】
前記移動端末が位置更新手順を行えるように、前記ページング識別子を含むレンジング要請メッセージを第２の基地局に伝送する段階と、
前記第２の基地局から前記ページング識別子を含むレンジング応答メッセージを受信する段階と、をさらに含む、請求項１に記載の遊休モードサポート方法。
【請求項３】
前記第１の基地局は前記第２の基地局と同一であることを特徴とする、請求項２に記載の遊休モードサポート方法。
【請求項４】
前記移動端末が位置更新手順を行えるように、前記ページング識別子を含むレンジング要請メッセージを第２の基地局に伝送する段階と、
前記第２の基地局が前記第１の基地局と同一のページンググループに属していない場合、前記ページング識別子と異なるページング識別子を含むレンジング応答メッセージを受信する段階と、をさらに含む、請求項１に記載の遊休モードサポート方法。
【請求項５】
前記移動端末が第２の基地局とネットワーク再進入手順を行えるように、前記ページング識別子を含むレンジング要請メッセージを伝送する段階と、
前記第２の基地局からレンジング応答メッセージを受信する段階と、をさらに含む、請求項１に記載の遊休モードサポート方法。
【請求項６】
前記第１の基地局から前記ページング識別子を含むページングメッセージを受信する段階をさらに含む、請求項１に記載の遊休モードサポート方法。
【請求項７】
基地局で移動端末の遊休モードをサポートする方法において、
前記移動端末から遊休モードへの進入を要請する登録解除要請メッセージを受信する段階と、
前記移動端末に割り当てたページング識別子を含む登録解除命令メッセージを前記移動端末に伝送する段階と、を含み、
前記ページング識別子は、前記基地局の属したページンググループで遊休モードの前記移動端末を固有に識別するための識別子であることを特徴とする遊休モードサポート方法。
【請求項８】
前記移動端末から位置更新手順を行えるように、前記ページング識別子を含むレンジング要請メッセージを受信する段階と、
前記ページング識別子を含むレンジング応答メッセージを前記移動端末に伝送する段階と、をさらに含む、請求項７に記載の遊休モードサポート方法。
【請求項９】
前記移動端末に臨時識別子を含むページングメッセージを伝送する段階をさらに含む、請求項７に記載の遊休モードサポート方法。
【請求項１０】
遊休モード動作を行う移動端末において、前記移動端末は、
無線信号を送信するための送信モジュールと、
無線信号を受信するための受信モジュールと、
前記送信モジュール及び前記受信モジュールを制御し、前記移動端末の遊休モード動作をサポートするように構成されたプロセッサと、を含み、
前記移動端末は、遊休モードへの進入を要請する登録解除要請メッセージを前記送信モジュールを通して第１の基地局に伝送し、前記第１の基地局から前記移動端末に割り当てられたページング識別子を含む登録解除命令メッセージを前記受信モジュールを通して受信し、
前記ページング識別子は、前記第１の基地局の属したページンググループで遊休モードの前記移動端末を固有に識別するための識別子であることを特徴とする移動端末。
【請求項１１】
前記移動端末は、
位置更新手順を行えるように、前記ページング識別子を含むレンジング要請メッセージを前記送信モジュールを通して第２の基地局に伝送し、
前記第２の基地局から前記ページング識別子を含むレンジング応答メッセージを前記受信モジュールを通して受信するように構成される、請求項１０に記載の移動端末。
【請求項１２】
前記第１の基地局は前記第２の基地局と同一であることを特徴とする、請求項１１に記載の移動端末。
【請求項１３】
前記移動端末は、
位置更新手順を行えるように、前記ページング識別子を含むレンジング要請メッセージを前記送信モジュールを通して第２の基地局に伝送し、
前記第２の基地局が前記第１の基地局と同一のページンググループに属していない場合、前記ページング識別子と異なるページング識別子を含むレンジング応答メッセージを前記受信モジュールを通して受信することを特徴とする、請求項１０に記載の移動端末。
【請求項１４】
前記移動端末は、
第２の基地局とネットワーク再進入手順を行えるように、前記ページング識別子を含むレンジング要請メッセージを前記送信モジュールを通して伝送し、前記第２の基地局からレンジング応答メッセージを前記受信モジュールを通して受信することを特徴とする、請求項１０に記載の移動端末。
【請求項１５】
前記移動端末は、
前記受信モジュールを通して前記第１の基地局から前記ページング識別子を含むページングメッセージを受信する、請求項１０に記載の移動端末。
【請求項１６】
移動端末の遊休モードをサポートする基地局において、前記基地局は、
無線信号を送信するための送信モジュールと、
無線信号を受信するための受信モジュールと、
前記送信モジュール及び前記受信モジュールを制御し、前記基地局の遊休モード動作をサポートするように構成されたプロセッサと、を含み、
前記基地局は、前記移動端末から遊休モードへの進入を要請する登録解除要請メッセージを前記受信モジュールを通して受信し、前記移動端末に割り当てたページング識別子を含む登録解除命令メッセージを前記送信モジュールを通して前記移動端末に伝送する段階を行い、前記ページング識別子は、前記基地局の属したページンググループで遊休モードの前記移動端末を固有に識別するための識別子であることを特徴とする基地局。
【請求項１７】
前記基地局は、
前記移動端末から位置更新手順を行うために伝送された、前記ページング識別子を含むレンジング要請メッセージを前記受信モジュールを通して受信し、
前記ページング識別子を含むレンジング応答メッセージを前記送信モジュールを通して前記移動端末に伝送する、請求項１６に記載の基地局。
【請求項１８】
前記基地局は、前記送信モジュールを通して前記移動端末にページング識別子を含むページングメッセージを伝送する、請求項１６に記載の基地局。
【国際調査報告】
2011527530.tif 000010
2011527530.tif 000011
2011527530.tif 000012